(57)【要約】【課題】  外部装置と所定の距離に近接することで非接触での通信を行う近接無線通信手段を有する通信装置において、通信処理の選択などを容易に行うことができるようにする。【解決手段】  複数の操作手段のそれぞれと、前記通信装置が実行する通信処理とを対応づけて保持し、前記複数の操作手段のうち、前記外部装置との通信が確立したときに操作されている操作手段に対応づけられている通信処理を実行するよう制御する。【選択図】  図３
2010004477.tif 000002
【特許請求の範囲】
【請求項１】
通信装置であって、
外部装置と所定の距離に近接することで非接触での通信を行う近接無線通信手段と、
複数の操作手段と、
前記複数の操作手段のそれぞれと、前記通信装置が実行する通信処理とを対応づけて保持する保持手段と、
前記複数の操作手段のうち、いずれかの操作部材が操作された状態で前記外部装置との通信が確立した場合、前記外部装置との通信が確立したときに操作されている操作手段に対応づけられた通信処理を実行するよう前記近接無線通信手段を制御する制御手段とを有する通信装置。
【請求項２】
前記制御手段は、前記複数の操作手段のうち、前記外部装置との通信が確立したときに操作されている操作手段に基づき、前記通信装置が前記外部装置にデータを送信するよう制御するか、前記通信装置が前記外部装置からデータを受信するよう制御するかを決定する請求項１に記載の通信装置。
【請求項３】
前記近接無線通信手段はさらに、前記外部装置の操作手段のうちどの操作手段が操作されているかを示す操作情報を前記外部装置から受信し、
前記制御手段は、前記複数の操作手段のうち、前記外部装置との通信が確立したときに操作されている操作手段と、前記外部装置から受信した操作情報とに基づき、前記近接無線通信手段によるデータの送受信を制御することを特徴とする請求項１または２に記載の通信装置。
【請求項４】
前記外部装置との通信が確立したときに、前記複数の操作手段のうち、前記通信処理と対応づけられている操作手段が操作されており、かつ前記外部装置から受信した操作情報が、前記外部装置の操作手段のいずれも操作されていないことを示す場合、前記制御手段は、前記通信装置の操作手段に対応づけられている通信処理を実行するよう制御することを特徴とする請求項３に記載の通信装置。
【請求項５】
前記外部装置との通信が確立したときに、前記複数の操作手段のうち、いずれの操作手段も操作されておらず、かつ前記外部装置から受信した操作情報が、データ送信処理と対応づけられている場合、前記制御手段は、前記外部装置からデータを受信する処理を実行するよう制御することを特徴とする請求項３に記載の通信装置。
【請求項６】
前記通信装置は、前記外部装置からデータを受信する処理を開始する前に、前記外部装置からのデータの受信を許可するか否かの選択を受け付けることを特徴とする請求項５に記載の通信装置。
【請求項７】
前記外部装置との通信が確立したときに、前記複数の操作手段のうち、前記外部装置へのデータ送信処理と対応づけられている操作手段が操作されており、かつ前記外部装置から受信した操作情報が、データ受信処理と対応づけられている操作手段が操作されていることを示す場合、前記制御手段は、前記通信装置から前記外部装置にデータを送信することを特徴とする請求項３に記載の通信装置。
【請求項８】
前記外部装置との通信が確立したときに、前記複数の操作手段のうち、前記外部装置へのデータ受信処理と対応づけられている操作手段が操作されており、かつ前記外部装置から受信した操作情報が、データ送信処理と対応づけられている操作手段が操作されていることを示す場合、前記制御手段は、前記通信装置から前記外部装置にデータを送信することを特徴とする請求項３に記載の通信装置。
【請求項９】
前記外部装置との通信が確立したときに、前記複数の操作手段のうち、いずれの操作手段も操作されておらず、かつ前記外部装置から受信した操作情報が、前記外部装置の操作手段のいずれも操作されていないことを示す場合、前記通信装置は、ユーザによる通信処理の選択を受け付けることを特徴とする請求項３乃至８のいずれか１項に記載のに記載の通信装置。
【請求項１０】
前記複数の操作手段のうち、操作中の操作手段に対応づけられた通信処理の内容を表示する表示手段をさらに有する請求項１乃至９のいずれか１項に記載の通信装置。
【請求項１１】
前記表示手段は、前記通信処理に対応づけられた操作手段が操作されている間のみ、前記通信処理の内容を表示することを特徴とする請求項１０に記載の通信装置。
【請求項１２】
前記保持手段は、前記通信装置の記憶媒体に記憶されたデータのすべてを送受信する処理と、一部のデータのみを送受信する処理とを、異なる操作手段と対応づけて保持することを特徴とする請求項１乃至１１のいずれか１項に記載の通信装置。
【請求項１３】
前記保持手段は、前記通信装置の記憶媒体に記憶されたデータのうち静止画データを送受信する処理と、動画データを送受信する処理とを、異なる操作手段と対応づけて保持することを特徴とする請求項１乃至１２のいずれか１項に記載の通信装置。
【請求項１４】
外部装置と所定の距離に近接することで非接触での通信を行う通信装置の制御方法であって、
前記通信装置の有する複数の操作手段のそれぞれと、前記通信装置に実行させる通信処理とを対応づけて保持する保持工程と、
前記複数の操作手段のうち、いずれかの操作部材が操作された状態で前記外部装置との通信が確立した場合、前記外部装置との通信が確立したときに操作されている操作手段に対応づけられている通信処理を実行するよう、前記通信装置を制御する制御工程とを有する制御方法。
【請求項１５】
コンピュータに、
外部装置と所定の距離に近接することで非接触での通信を行う通信装置の制御方法であって、
前記通信装置の有する複数の操作手段のそれぞれと、前記通信装置に実行させる通信処理とを対応づけて保持する保持工程と、
前記複数の操作手段のうち、いずれかの操作部材が操作された状態で前記外部装置との通信が確立した場合、前記外部装置との通信が確立したときに操作されている操作手段に対応づけられている通信処理を実行するよう、前記通信装置を制御する制御工程とを有する制御方法を実行させるコンピュータが読み取り可能なプログラム。
【発明の詳細な説明】
【技術分野】
【０００１】
本発明は、機器同士を近接させることにより通信を確立しデータの送受信を行うシステムに関するもので、特にデータの送受信を容易にする技術に関する。
【背景技術】
【０００２】
近年、誘導電界などを用いて数ｃｍ〜数十ｃｍの通信可能範囲内で通信を行う近接無線通信を利用したシステムの開発が行われている。高速な転送速度を備え至近距離専用で他の無線システムへ影響を与えにくいという特徴をもち、機器間でケーブル接続を不要としたデータ通信に適している。
【０００３】
例えば、アンテナを内蔵したカードを通信目的機器に近接させた場合に、カード内の情報を通信目的機器に無線で送信する技術が知られている（特許文献１）。
【０００４】
また、現在ではカードだけではなく、携帯電話などの通信端末を他の機器に近接させた場合にデータ通信を行う技術も知られている。
【特許文献１】特開平０７−１４１５３７号公報
【発明の開示】
【発明が解決しようとする課題】
【０００５】
しかしながら、従来の近接無線通信における操作は通信相手に近づける、離すという単純な操作が主体であり、通信方法の選択などの細かい操作を行うことが難しい。
【課題を解決するための手段】
【０００６】
上記課題を解決するために、本発明に係る通信装置は、外部装置と所定の距離に近接することで非接触での通信を行う近接無線通信手段と、複数の操作手段と、前記複数の操作手段のそれぞれと、前記通信装置が実行する通信処理とを対応づけて保持する保持手段と、前記複数の操作手段のうち、いずれかの操作部材が操作された状態で前記外部装置との通信が確立した場合、前記外部装置との通信が確立したときに操作されている操作手段に対応づけられた通信処理を実行するよう前記近接無線通信手段を制御する制御手段とを有する。
【０００７】
また、本発明に係る制御方法は、外部装置と所定の距離に近接することで非接触での通信を行う通信装置の制御方法であって、前記通信装置の有する複数の操作手段のそれぞれと、前記通信装置に実行させる通信処理とを対応づけて保持する保持工程と、
前記複数の操作手段のうち、いずれかの操作部材が操作された状態で前記外部装置との通信が確立した場合、前記外部装置との通信が確立したときに操作されている操作手段に対応づけられている通信処理を実行するよう、前記通信装置を制御する制御工程とを有する。
【発明の効果】
【０００８】
本発明によれば、ユーザは機器に対して種々の処理を指示する際に、機器に対して複雑な操作を必要としないため、ユーザの操作性を向上させることが可能となる。
【発明を実施するための最良の形態】
【０００９】
＜第１の実施形態＞
以下に、本発明を、撮像装置の一例であるデジタルビデオカメラ（以下、「ＤＶＣ」）からなるシステムに適用した場合の実施形態について説明する。
【００１０】
図１は実施形態のＤＶＣのブロック構成図である。ＤＶＣ１０のうち、被写体を撮像する撮像部１１であり、レンズ、センサなどを含む。ここで撮像された被写体像が画像処理されることで画像データが得られる。
【００１１】
マイコン１２は、各部から入力された信号やプログラムに基づき、ＤＶＣ１０全体を制御する。なお、制御は１つのハードウェアで実行しても良いし、複数のハードウェアが処理を分担しながら１つの制御手段として機能することで、装置全体の制御を実現しても良い。
【００１２】
入力部１３は、ユーザからの操作を受け付けるための操作部材で構成される。入力部１３は例えばボタン、レバー、タッチセンサ、回転ホイールなどを用いることができる。本実施形態における入力部１３は、電源をＯＮ／ＯＦＦするための電源ボタン、静止画の撮影を指示するためのＰｈｏｔｏボタン、動画の撮影を指示するためのＲｅｃボタン、ズームを行うためのＺｏｏｍキーなどを含む。さらに、撮影画像の印刷を指示するＤｉｒｅｃｔ  Ｐｒｉｎｔボタンや、撮影画像の再生を指示するＰｌａｙ（再生）ボタン、撮影した動画の早送り、巻き戻しを行うＲｅｗ（巻き戻し）ボタン、ＦＦ（早送り）ボタンも含まれるものとする。
【００１３】
通信部１４は、近距離無線通信を行う為の通信インタフェースであり、アンテナを内蔵している。この通信部１４が外部装置の通信部と近接することにより、非接触での通信が開始される。
【００１４】
表示部１５は、撮影した画像や各種のＧＵＩ（Ｇｒａｐｈｉｃａｌ  Ｕｓｅｒ  Ｉｎｔｅｒｆａｃｅ）を表示するための部材であり、例えば液晶ディスプレイが用いられる。
【００１５】
記憶媒体１６は、撮影した画像を記憶しておく為の媒体である。記憶媒体１６は、ＤＶＣ１０に内蔵されていてもよいし、例えばメモリカードのように着脱可能であってもよい。
【００１６】
ＲＯＭ１７は、制御用の設定値やプログラムを記憶するためのものである。
【００１７】
ＲＡＭ１８は、パラメータなどを一時記憶するためのものである。
【００１８】
以上が、ＤＶＣ１０の構成である。以下、本実施形態では、ＤＶＣ同士が近接無線通信によりデータの送受信を行う場合を例として説明する。
【００１９】
図２は、ＤＶＣ２０１とＤＶＣ２０２が近接無線通信を行う際の概要を示す図である。近距離無線通信は、機器同士が所定の通信可能範囲内に近接することで行われる通信である。通信可能範囲は、周波数帯にもよるが数ｃｍ〜数十ｃｍという近距離で行われるのが通常である。ＤＶＣ２０１の通信部２０３とＤＶＣ２０２の通信部２０４が一定の距離に近付くと、誘導起電力が生じる。ＤＶＣ２０１及び２０２は、この起電力を検知することにより、互いの通信を確立する処理を開始する。逆に、通信部同士が通信可能範囲よりも離れている場合、十分な起電力が生じないため、通信を行うことができない。
【００２０】
本実施形態におけるＤＶＣは、一連のデータ通信処理において複数の状態に遷移することが可能となる。以下、ＤＶＣの状態遷移について説明する。
【００２１】
引き続き、図２のＤＶＣ２０１とＤＶＣ２０２の通信を例に考える。ここでは、ＤＶＣ２０２からＤＶＣ２０１にデータが送信されるものとする。
【００２２】
図３及び図４は、本実施形態のＤＶＣ２０１及びＤＶＣ２０２における通信状態の遷移図である。まず、ステップＳ３０１において、ＤＶＣ２０１は、ユーザ操作に基づき近接無線通信モードに状態を切り替える。なお、パワーオフ状態からパワーオン状態となると自動的に近接無線通信モードに移行してもよい。
【００２３】
近接無線通信モードへの遷移が完了すると、３１１のような近接無線通信モード画面が表示される。この状態が近接無線通信における基本の状態である。
【００２４】
ＤＶＣ２０２もＤＶＣ２０１と同様、ステップＳ３０６において近接無線通信モードに遷移し、近接無線通信モード画面（３１６）を表示する。
【００２５】
ここで、ＤＶＣ２０１及びＤＶＣ２０２のユーザは、画像を送信したいのか、受信したいのか、静止画を対象としたいのか、動画を対象としたいのか、全画像を対象としたいのか、一部の画像のみを対象としたいのかといったことを指定する必要がある。
【００２６】
そこで本実施形態に係るＤＶＣは、入力部１３に含まれる操作部材と、通信における通信処理を対応づけて保持している。ここでいう通信処理とは、例えばデータの受信、送信などがあげられる。詳細な具体例は後述する。
【００２７】
ＤＶＣは外部装置と通信が確立した時点で操作されていた操作部材に対応づけられた通信処理を行う。このことにより、ユーザは特定の操作部材を操作しながら（例えばボタンを押下しながら）外部装置に近接させることで、ＤＶＣに所望の通信処理を実行させることが可能となる。
【００２８】
図５に操作部材と通信処理の対応を示す。ＤＶＣはこの対応づけをＲＯＭ１７に保持している。
【００２９】
Ｐｈｏｔｏボタンの押下は、外部装置に記憶されたすべての静止画データを受信する全静止画像受信処理と対応づけられている。
【００３０】
Ｒｅｃボタンの押下は、外部装置に記憶されたすべての動画データを受信する全動画像受信処理と対応づけられている。
【００３１】
ＺｏｏｍキーのＴｅｌｅ方向への操作は、外部装置に記憶された静止画データのうち、外部装置側で選択された静止画を受信する静止画選択データ受信処理と対応づけられている。
【００３２】
ＺｏｏｍキーのＷｉｄｅ方向への操作は、外部装置に記憶された動画データのうち、外部装置側で選択された動画を受信する動画選択データ受信処理と対応づけられている。
【００３３】
Ｄｉｒｅｃｔ  Ｐｒｉｎｔボタンの押下は、自機に記憶されたすべての静止画データを送信する静止画全データ送信処理と対応づけられている。
【００３４】
Ｐｌａｙ（再生）ボタンの押下は、自機に記憶されたすべての動画データを送信する動画全データ送信処理と対応づけられている。
【００３５】
Ｒｅｗ（巻き戻し）ボタンの押下は、自機に記憶された静止画データのうち、選択した静止画を送信する静止画選択データ送信処理と対応づけられている。
【００３６】
ＦＦ（早送り）ボタンの押下は、自機に記憶された動画データのうち、選択した動画を送信する動画選択データ送信処理と対応づけられている。
【００３７】
以下、近接無線通信モードにおいて、上記のように異なる通信処理に対応づけられた各操作部材が操作された場合について説明する。まず、図３を用いて、ＤＶＣ２０１がＤＶＣ２０２からデータを受信する場合について説明する。
【００３８】
＜全ての静止画データを受信したい場合＞
ユーザがＤＶＣ２０２に記憶されたすべての静止画をＤＶＣ２０１に受信させたい場合について説明する。
【００３９】
この場合、ステップＳ３０２において、ＤＶＣ２０１のユーザはＤＶＣ２０１のＰｈｏｔｏボタンを押下する。ユーザによりＰｈｏｔｏボタンが押下されたことに応じて、ＤＶＣ２０１は、静止画全データ受信を行う旨を示す画面（３１２）を表示部１５に表示する。
【００４０】
上記の操作を行なっている状態（Ｐｈｏｔｏボタンを押下したまま）でＤＶＣ２０１とＤＶＣ２０２が近接すると、近距離無線通信が確立される。ＤＶＣ２０２はＤＶＣ２０１の操作状態から、ＤＶＣ２０１が静止画全データ受信処理を行おうとしていると判断し、静止画全データ送信処理を実行する。つまり、ＤＶＣ２０２からＤＶＣ２０１へ静止画全データの送信が実行され、ＤＶＣ２０１は静止画を受信する。
【００４１】
ここで、ＤＶＣ２０２に静止画が１枚も記録されていない場合は送信処理を行わないものとする。その際に、ＤＶＣ２０２は、ユーザに静止画が記録されていないことを示す警告表示を行ってもよい。
【００４２】
＜全ての動画データを受信したい場合＞
ユーザがＤＶＣ２０２に記憶されたすべての動画をＤＶＣ２０１に受信させたい場合について説明する。
【００４３】
この場合、ステップＳ３０３において、ＤＶＣ２０１のユーザはＤＶＣ２０１のＲｅｃボタンを押下する。ユーザによりＲｅｃボタンが押下されたことに応じて、ＤＶＣ２０１は、動画全データ受信に対応したボタンであることを示す画面（３１３）を表示部１５に表示する。
【００４４】
ＤＶＣ２０１で上記の操作を行なっている状態（Ｒｅｃボタンを押下したまま）でＤＶＣ２０１とＤＶＣ２０２が近接すると、近距離無線通信が確立される。ＤＶＣ２０２はＤＶＣ２０１の操作状態から、ＤＶＣ２０１が動画全データ受信処理を行おうとしていると判断し、動画全データ送信処理を実行する。つまり、ＤＶＣ２０２からＤＶＣ２０１へ動画全データの送信が実行され、ＤＶＣ２０１は動画を受信する。
【００４５】
ここで、ＤＶＣ２０２に動画が１チャプターも記録されていない場合は送信処理を行わないものとする。その際に、ＤＶＣ２０２は、ユーザに動画が記録されていないことを示す警告表示を行ってもよい。
【００４６】
＜選択済みの静止画データを受信したい場合＞
ユーザがＤＶＣ２０２に記憶された静止画のうち、選択された静止画をＤＶＣ２０１に受信させたい場合について説明する。
【００４７】
まず、送信対象となる画像の選択方法について説明する。ＤＶＣ２０２のユーザは、ＤＶＣ２０１との通信前に予め送信対象となる画像を選択しておくことが可能である。例えば、ＤＶＣ２０２は表示部１５に画像を一覧表示し、ユーザに所望の画像を選択させる。選択が完了すると、ＤＶＣ２０２は選択された画像のファイル名といった識別情報をリスト化してＲＯＭ１７に記憶する。このようにすることで、送信対象の画像を事前に選択しておくことが可能となる。
【００４８】
図３の説明に戻る。ステップＳ３０４において、ＤＶＣ２０１のユーザはＺｏｏｍキーをＴｅｌｅ方向に操作する。ユーザによりＺｏｏｍキーがＴｅｌｅ方向に操作されたことに応じて、ＤＶＣ２０１は、静止画選択データ受信を行う旨を示す画面（３１４）を表示部１５に表示する。
【００４９】
ＤＶＣ２０１で上記の操作を行なっている状態でＤＶＣ２０１とＤＶＣ２０２が近接すると、近距離無線通信が確立される。ＤＶＣ２０２はＤＶＣ２０１の操作状態から、ＤＶＣ２０１が静止画選択データ受信処理を行おうとしていると判断し、自機は静止画選択データ送信処理を実行する。具体的には、ＤＶＣ２０２は保持していた送信対象のリストを参照し、リストに基づき記憶媒体１６から画像を読み出してＤＶＣ２０１に送信する。そしてＤＶＣ２０１は静止画を受信する。
【００５０】
なお、静止画が１枚も選択されていない場合は送信処理を行わないものとする。その際に、ユーザに静止画が選択されていないことを示す警告表示を行っても良い。
【００５１】
＜選択済みの動画データを受信したい場合＞
ユーザがＤＶＣ２０２に記憶された動画のうち、選択された動画をＤＶＣ２０１に受信させたい場合について説明する。送信対象となる画像の選択方法は静止画の場合と同様である。
【００５２】
ステップＳ３０５において、ＤＶＣ２０１のユーザはＺｏｏｍキーをＷｉｄｅ方向に操作する。ユーザによりＺｏｏｍキーがＷｉｄｅ方向に操作されたことに応じて、ＤＶＣ２０１は、動画選択データ受信を行う旨を示す画面（３１５）を表示部１５に表示する。
【００５３】
ＤＶＣ２０１で上記の操作を行なっている状態でＤＶＣ２０１とＤＶＣ２０２が近接すると、近距離無線通信が確立される。ＤＶＣ２０２はＤＶＣ２０１の操作状態から、ＤＶＣ２０１が動画選択データ受信処理を行おうとしていると判断し、自機は動画選択データ送信処理を実行する。具体的には、ＤＶＣ２０２は保持していた送信対象のリストを参照し、リストに基づき記憶媒体１６から画像を読み出してＤＶＣ２０１に送信する。そしてＤＶＣ２０１は動画を受信する。
【００５４】
なお、動画が１チャプターも選択されていない場合は送信処理を行わないものとする。その際に、ユーザに動画が選択されていないことを示す警告表示を行っても良い。
【００５５】
次に、図４を用いて、ＤＶＣ２０１がＤＶＣ２０２からデータを送信する場合について説明する。図３と同様の部分については説明を省略する。
【００５６】
＜全ての静止画データを送信したい場合＞
ユーザがＤＶＣ２０１に記憶されたすべての静止画をＤＶＣ２０２に送信したい場合について説明する。
【００５７】
ステップＳ３０７において、ユーザは、ＤＶＣ２０１のＤｉｒｅｃｔ  Ｐｒｉｎｔボタンを押下する。ユーザによりＰｈｏｔｏボタンが押下されたことに応じて、ＤＶＣ２０１は、静止画全データ送信に対応したボタンであることを示す画面（３２２）を表示部１５に表示する。
【００５８】
上記の操作を行なっている状態（Ｄｉｒｅｃｔ  Ｐｒｉｎｔボタンを押下したまま）でＤＶＣ２０１とＤＶＣ２０２が近接すると、近距離無線通信が確立される。ＤＶＣ２０２はＤＶＣ２０１の操作状態から、ＤＶＣ２０１が静止画全データ送信処理を行おうとしていると判断し、静止画全データ受信処理を実行する。つまり、ＤＶＣ２０１からＤＶＣ２０２へ静止画全データの送信が実行される。
【００５９】
なお、ＤＶＣ２０１に静止画が１枚も記録されていない場合は送信処理を行わないものとする。その際に、ＤＶＣ２０１は、ユーザに静止画が記録されていないことを示す警告表示を行ってもよい。また、警告表示は通信が確立していなくとも、データの送信処理に対応する操作部材が押下された時点で表示してもよい。
【００６０】
＜全ての動画データを送信したい場合＞
ユーザがＤＶＣ２０１に記憶されたすべての動画をＤＶＣ２０２に送信したい場合について説明する。
【００６１】
ステップＳ３０８において、ユーザは、ＤＶＣ２０１のＰｌａｙボタンを押下する。ユーザによりＰｌａｙボタンが押下されたことに応じて、ＤＶＣ２０１は、動画全データ送信に対応したボタンであることを示す画面（３２３）を表示部１５に表示する。
【００６２】
上記の操作を行なっている状態（Ｐｌａｙボタンを押下したまま）でＤＶＣ２０１とＤＶＣ２０２が近接すると、近距離無線通信が確立される。ＤＶＣ２０２はＤＶＣ２０１の操作状態から、ＤＶＣ２０１が動画全データ送信処理を行おうとしていると判断し、動画全データ受信処理を実行する。つまり、ＤＶＣ２０１からＤＶＣ２０２へ動画全データの送信が実行される。
【００６３】
＜選択済みの静止画データを送信したい場合＞
ユーザがＤＶＣ２０１に記憶された静止画のうち、選択された静止画をＤＶＣ２０２に送信したい場合について説明する。
【００６４】
ＤＶＣ２０１のユーザは、前述したように送信対象の画像を事前に選択しておくことが可能である。
【００６５】
ステップＳ３０９において、ＤＶＣ２０１のユーザは、ＤＶＣ２０１のＲｅｗ（巻き戻し）ボタンを押下する。ユーザによりＲｅｗ（巻き戻し）ボタンが押下されたことに応じて、ＤＶＣ２０１は、静止画選択データ送信を行う旨を示す画面（３２４）を表示部１５に表示する。
【００６６】
上記の操作を行なっている状態（Ｒｅｗボタンを押下したまま）でＤＶＣ２０１とＤＶＣ２０２が近接すると、近距離無線通信が確立される。ＤＶＣ２０２はＤＶＣ２０１の操作状態から、ＤＶＣ２０１が静止画選択データ送信処理を行おうとしていると判断し、静止画選択データ受信処理を実行する。つまり、ＤＶＣ２０１からＤＶＣ２０２へ静止画選択データの送信が実行される。具体的には、ＤＶＣ２０１は保持していた送信対象のリストを参照し、リストに基づき記憶媒体１６から画像を読み出してＤＶＣ２０２に送信する。
【００６７】
＜選択済みの動画データを送信したい場合＞
ユーザがＤＶＣ２０１に記憶された動画のうち、選択された静止画をＤＶＣ２０２に送信したい場合について説明する。
【００６８】
ＤＶＣ２０１のユーザは、前述したように送信対象の画像を事前に選択しておくことが可能である。
【００６９】
ステップＳ３０９において、ＤＶＣ２０１のユーザは、ＤＶＣ２０１のＦＦ（早送り）ボタンを押下する。ユーザによりＦＦ（早送り）ボタンが押下されたことに応じて、ＤＶＣ２０１は、動画選択データ送信を行う旨を示す画面（３２５）を表示部１５に表示する。
【００７０】
上記の操作を行なっている状態（Ｒｅｗボタンを押下したまま）でＤＶＣ２０１とＤＶＣ２０２が近接すると、近距離無線通信が確立される。ＤＶＣ２０２はＤＶＣ２０１の操作状態から、ＤＶＣ２０１が動画選択データ送信処理を行おうとしていると判断し、動画選択データ受信処理を実行する。つまり、ＤＶＣ２０１からＤＶＣ２０２へ動画選択データの送信が実行される。具体的には、ＤＶＣ２０１は保持していた送信対象のリストを参照し、リストに基づき記憶媒体１６から画像を読み出してＤＶＣ２０２に送信する。
【００７１】
なお、本実施形態では、画面３１２〜３１５、３２２〜３２５は、対応する操作部材を操作している間、例えばボタンを押下している間にのみ表示され、ユーザが操作部材から指を離すと画面３１１または３１６に戻る。このようにすることで、ユーザは操作部材を操作しながら近接させればよいことを容易に認識できる。また、操作部材を操作しながら近接させるというユーザの明確な操作を要求することで、ユーザが意図せずＤＶＣ２０１をＤＶＣ２０２に近接させてしまった場合に、データが送信されてしまう自体を防ぐことができる。
【００７２】
以上の処理により、ユーザが送受信の切替や送受信データの切替に際して複雑な操作を必要とせず、ユーザの操作性を向上させることが可能となる。
【００７３】
図６は、本実施形態におけるＤＶＣ２０１とＤＶＣ２０２のデータ通信のシーケンス図の一例である。ここでは、ＤＶＣ２０１からＤＶＣ２０２に全静止画データを送信する場合について説明するが、図３、４に示した他の処理においても、基本的には同様の処理を行う。
【００７４】
機器間の通信が確立した後、送信側であるＤＶＣ２０１は最初のステップＳ６０１において、現在の操作状態、例えばどの操作部材が操作中かを示す操作情報をＤＶＣ２０２に送信する。また、操作されている操作部材に対応する通信処理の内容を示す画面（６１１）を表示する。
【００７５】
なお、本実施形態におけるＤＶＣ２０１は、通信確立後、一定時間操作部材が操作された状態が継続されたと判断した場合に、操作情報をＤＶＣ２０２に送信してもよい。このことにより、ユーザが意図せずボタンを押下した状態でＤＶＣ２０１を外部機器に近接させてしまい、データ通信が起こる可能性を低減させることができる。これは他の通信処理でも同様である。
【００７６】
また、本実施形態では、ＤＶＣ２０１がステップＳ６０１の処理を実行する前にＤＶＣ２０２からの操作状態を受信した場合は、以降の処理でＤＶＣ２０１とＤＶＣ２０２が入れ替わる。つまり、先に通信相手に操作状態を送信した機器が、本フローチャートの左側の処理を行うようにする。
【００７７】
近接無線通信モード（６１４）でＤＶＣ２０１の操作状態を受信したＤＶＣ２０２は、ステップＳ６０２においてＤＶＣ２０１の操作状態を受信したこと、及び自機の操作状態をＤＶＣ２０１に通知する。ＤＶＣ２０２が近接無線通信モードの場合は、いずれの操作部材も操作されていない旨を操作状態として送信する。
【００７８】
ＤＶＣ２０２から通知を受信したＤＶＣ２０１は、自機の操作状態及びＤＶＣ２０２の操作状態に基づき、ＤＶＣ２０２に全静止画データを送信可能であることを認識する。
【００７９】
そしてステップＳ６０３においてＤＶＣ２０２の操作状態を受信したことと、自機がデータ送信可能状態にあることとをＤＶＣ２０２に送信する。
【００８０】
ＤＶＣ２０１のデータ送信準備が完了したことを受信したＤＶＣ２０２は、ＤＶＣ２０１からデータが送信されることを認識する。そして、ユーザにデータの受信を許可するか否かの選択を受け付けるための選択画面（６１５）を表示部１５に表示する。ユーザ操作により受信を許可しない選択がなされた場合、その時点で機器間の通信を終了する。
【００８１】
ユーザ操作により受信を許可する選択がされた場合、ステップＳ６０４において受信可能状態にあることを示す受信可能通知をＤＶＣ２０１に送信する。受信を許可しない選択がなされた場合は、通信終了通知（図示せず）をＤＶＣ２０１に送信して処理を終了する。
【００８２】
ＤＶＣ２０２の受信可能通知を受信したＤＶＣ２０１は、ステップＳ６０５において、現在の操作状態に対応するデータの送信を開始する。また、ＤＶＣ２０１はＤＶＣ２０１の表示手段に送信中であることを示す画面（６１２）を表示する。さらに、ＤＶＣ２０２はＤＶＣ２０２の表示部１５に受信中であることを示す画面（６１６）を表示する。
【００８３】
該当データの送信が全て完了した後、ステップＳ６０６においてＤＶＣ２０１はデータ送信がすべて完了したこと示す通知をＤＶＣ２０２に通知する。
【００８４】
ＤＶＣ２０１のデータ送信がすべて完了したことを受信したＤＶＣ２０２は、すべてのデータ受信が完了した後、ステップＳ６０７においてデータ受信がすべて完了したことをＤＶＣ２０１に送信する。また、同時にＤＶＣ２０２の表示手段に受信完了画面を表示する（６１７）。
【００８５】
ＤＶＣ２０２のデータ受信がすべて完了した通知を受信したＤＶＣ２０１は、ＤＶＣ２０１の表示部１５に送信完了画面を表示する（６１３）。
【００８６】
なお、ＤＶＣ２０１が受信モードの場合は、データ送信の方向が変わるのみで、それ以外は本実施例と同様の処理を行う。
【００８７】
図７〜図９は、本実施形態におけるＤＶＣ２０１がＤＶＣ２０２とのデータ通信において実行する処理を示すフローチャートである。なお、本処理は、ＤＶＣ２０１のマイコン１２が入力信号やプログラムにしたがい、各部を制御することで実現する。
【００８８】
機器間の通信が確立すると、ステップＳ７０１においてＤＶＣ２０１はＤＶＣ２０２に操作状態の送信を行う。
【００８９】
次のステップＳ７０２において、ＤＶＣ２０１は、ＤＶＣ２０２から受信完了通知及び操作状態を受信したか否かを判断する。受信したと判断した場合は処理を図８のステップＳ７０３に進める。受信していないと判断した場合は処理を繰り返す。
【００９０】
ステップＳ７０３において、ＤＶＣ２０１は、自機が近接無線通信モードであるかどうかを判断する。近接無線通信モードであると判断した場合、処理をステップＳ７０４に進める。近接無線通信モードであると判断した場合、処理を終了する。
【００９１】
ステップＳ７０４において、ＤＶＣ２０１は、Ｒｅｃボタンが押されているかどうかを判断する。Ｒｅｃボタンが押されていると判断した場合には処理をステップＳ７１２に進める。押されていないと判断した場合は処理をステップＳ７０５に進める。
【００９２】
そして、ステップＳ７１２において、ＤＶＣ２０１は動画全データの受信処理を開始し、処理を図９のステップＳ７３８に進める。
【００９３】
一方、ステップＳ７０５において、ＤＶＣ２０１はＰｈｏｔｏボタンが押されているかどうかの判断する。押されていると判断した場合は処理をステップＳ７１３に進める。押されていないと判断した場合は処理をステップＳ７０６に進める。
【００９４】
ステップＳ７１３において、ＤＶＣ２０１は、静止画全データの受信処理を開始し、処理を図９のステップＳ７３８に進める。
【００９５】
一方、Ｓ７０６において、ＤＶＣ２０１は、ＺｏｏｍキーがＷｉｄｅ方向に操作されているかどうかを判断する。Ｗｉｄｅ方向に操作されていると判断した場合、処理をステップＳ７１４に進める。操作されていないと判断した場合、処理をステップＳ７０７に進める。
【００９６】
ステップＳ７１４において、ＤＶＣ２０１は動画選択データの受信処理を開始し、処理を図９のステップＳ７３８に進める。
【００９７】
一方、ステップＳ７０７において、ＤＶＣ２０１は、ＺｏｏｍキーがＴｅｌｅ方向に操作されているかどうか判断する。Ｔｅｌｅ方向に操作されていると判断した場合、処理をステップＳ７１５に進める。操作されていないと判断した場合、処理をステップＳ７０８に進める。
【００９８】
Ｓ７１５において、ＤＶＣ２０１は、静止画選択データの受信処理を開始し、処理を図９のステップＳ７３８に進める。
【００９９】
一方、ステップＳ７０８において、ＤＶＣ２０１はＰｌａｙボタンが操作されているかどうか判断する。Ｐｌａｙボタンが操作されていると判断した場合、処理をステップＳ７１６に進める。操作されていないと判断した場合、処理をステップＳ７０９に進める。
【０１００】
ステップＳ７１６において、ＤＶＣ２０１は動画全データの送信処理を開始し、処理を図９のステップＳ７４４に進める。
【０１０１】
一方、ステップＳ７０９において、ＤＶＣ２０１はＤｉｒｅｃｔ  Ｐｒｉｎｔボタンが操作されているかどうかの判断を行う。Ｄｉｒｅｃｔ  Ｐｒｉｎｔボタンが操作されていると判断した場合、処理をステップＳ７１７に進める。操作されていないと判断した場合は処理をステップＳ７１０に進める。
【０１０２】
ステップＳ７１７において、ＤＶＣ２０１は静止画全データの送信処理を開始し、処理を図９のステップＳ７４４に進める。
【０１０３】
一方、ステップＳ７１０において、ＤＶＣ２０１はＦＦ（早送り）ボタンが操作されているかどうか判断する。ＦＦ（早送り）ボタンが操作されていると判断した場合、処理をステップＳ７１８に進める。操作されていないと判断した場合、処理をステップＳ７１１に進める。
【０１０４】
Ｓ７１８において、ＤＶＣ２０１は動画選択データの送信処理を開始し、処理を図９のステップＳ７４４に進める。
【０１０５】
一方、ステップＳ７１１において、ＤＶＣ２０１はＲｅｗ（巻き戻し）ボタンが操作されているかどうかの判断を行う。Ｒｅｗ（巻き戻し）ボタンが操作されていると判断された場合、
ステップＳ７１１においてＲｅｗ（巻き戻し）ボタンが操作されていると判断した場合、処理をステップＳ７１９に進める。操作されていないと判断した場合、処理をステップＳ７２０に進める。
【０１０６】
Ｓ７１９において、ＤＶＣ２０１は静止画選択データの送信処理を開始し、処理を図９のステップＳ７４４に進める。
【０１０７】
一方、ステップＳ７１１においてＲｅｗ（巻き戻し）ボタンが操作されていないと判断された場合について説明する。この場合は通信処理を指定するための操作部材が操作されていないということになる。従って以下の処理では、ＤＶＣ２０２において通信処理が指定されていないかを検知し、ＤＶＣ２０２の状態に合わせて自機の状態を決定する処理を行う。
【０１０８】
ステップＳ７２０において、ＤＶＣ２０１はＤＶＣ２０２から受信する操作状態の情報を参照し、ＤＶＣ２０２が近接無線通信モードであるかどうかの判断を行う。近接無線通信モードである場合は処理をステップＳ７２１に進める。近接無線通信モードでない場合は処理を終了する。
【０１０９】
ステップＳ７２１において、ＤＶＣ２０１はＤＶＣ２０２のＲｅｃボタンが押されているかどうかを判断する。ＤＶＣ２０２のＲｅｃボタンが押されていると判断した場合、処理をステップＳ７２９に進める。押されていないと判断した場合は、処理をステップＳ７２２に進める。
【０１１０】
ステップＳ７２９において、ＤＶＣ２０１は動画全データの送信準備を行い、送信準備が完了した後、処理を図９のステップＳ７４４に進める。
【０１１１】
一方、ステップＳ７２２において、ＤＶＣ２０１は、ＤＶＣ２０２のＰｈｏｔｏボタンが押されているかどうかの判断を行う。ＤＶＣ２０２のＰｈｏｔｏボタンが押されていると判断した場合、処理をステップＳ７３０に進める。押されていないと判断した場合は、処理をステップＳ７２３に進める。
【０１１２】
ステップＳ７３０において、ＤＶＣ２０１は静止画全データの送信準備を行い、送信準備が完了した後、処理を図９のステップＳ７４４に進める。
【０１１３】
一方、ステップＳ７２３において、ＤＶＣ２０１は、ＤＶＣ２０２のＺｏｏｍキーがＷｉｄｅ方向に操作されているかどうか判断する。ＤＶＣ２０２のＺｏｏｍキーがＷｉｄｅ方向に操作されていると判断した場合、処理をステップＳ７３１に進める。操作されていないと判断した場合は、処理をステップＳ７２４に進める。
【０１１４】
ステップＳ７３１において、ＤＶＣ２０１は動画選択データの送信準備を行い、送信準備が完了した後、処理を図９のステップＳ７４４に進める。
【０１１５】
一方、ステップＳ７２４において、ＤＶＣ２０１は、ＤＶＣ２０２のＺｏｏｍキーがＴｅｌｅ方向に操作されているかどうか判断する。ＤＶＣ２０２のＺｏｏｍキーがＴｅｌｅ方向に操作されていると判断した場合、処理をステップＳ７３２に進める。操作されていないと判断した場合は、処理をステップＳ７２５に進める。
【０１１６】
ステップＳ７３２において、ＤＶＣ２０１は静止画選択データの送信準備を行い、送信準備が完了した後、処理を図９のステップＳ７４４に進める。
【０１１７】
一方、ステップＳ７２５において、ＤＶＣ２０１はＤＶＣ２０２のＰｌａｙボタンが操作されているかどうか判断する。ＤＶＣ２０２のＰｌａｙボタンが押されていると判断した場合、処理をステップＳ７３３に進める。押されていないと判断した場合は、処理をステップＳ７２６に進める。
【０１１８】
ステップＳ７３３において、ＤＶＣ２０１は動画全データの受信準備を行い、受信準備が完了した後、処理を図９のステップＳ７３８に進める。
【０１１９】
一方、ステップＳ７２６において、ＤＶＣ２０１はＤＶＣ２０２のＤｉｒｅｃｔ  Ｐｒｉｎｔボタンが操作されているかどうか判断する。ＤＶＣ２０２のＤｉｒｅｃｔ  Ｐｒｉｎｔボタンが押されていると判断した場合、処理をステップＳ７３４に進める。押されていないと判断した場合は、処理をステップＳ７２７に進める。
【０１２０】
ステップＳ７３４において、ＤＶＣ２０１は静止画全データの受信準備を行い、受信準備が完了した後、処理を図９のステップＳ７３８に進める。
【０１２１】
一方、ステップＳ７２７において、ＤＶＣ２０１はＤＶＣ２０２のＦＦ（早送り）ボタンが操作されているかどうか判断する。ＤＶＣ２０２のＦＦ（早送り）ボタンが押されていると判断した場合、処理をステップＳ７３５に進める。押されていないと判断した場合は、処理をステップＳ７２８に進める。
【０１２２】
ステップＳ７３５において、ＤＶＣ２０１は動画選択データの受信準備を行い、受信準備が完了した後、処理を図９のステップＳ７３８に進める。
【０１２３】
一方、ステップＳ７２８において、ＤＶＣ２０１はＤＶＣ２０２のＲｅｗ（巻き戻し）ボタンが操作されているかどうか判断する。
【０１２４】
ステップＳ７３６において、ＤＶＣ２０１は、静止画選択データの受信準備を行い、受信準備が完了した後、処理を図９のステップＳ７３８に進める。
【０１２５】
一方、ステップＳ７２８において、ＤＶＣ２０２のＲｅｗ（巻き戻し）ボタンが操作されていないと判断した場合、ＤＶＣ２０２側でも通信処理が指定されていないということである。つまり、ＤＶＣ２０１及びＤＶＣ２０２の両方で通信処理が指定されていない。
【０１２６】
そこで、ステップＳ７３７において、ＤＶＣ２０１は通信処理を一覧表示した選択画面を表示部１５に表示し、ユーザに所望の通信処理を選択させる。ユーザ操作により通信処理が選択されると、ＤＶＣ２０１は選択に応じた処理を実行する。もちろん、ＤＶＣ２０２も選択画面を表示してもよい。
【０１２７】
以上の処理により、ＤＶＣ２０１の送信準備または受信準備が行われる。以降の処理について、図９を用いて説明する。
【０１２８】
ＤＶＣ２０１がデータを受信する場合、まずステップＳ７３８において、ＤＶＣ２０１はＤＶＣ２０２から送信された送信可能通知を受信する。
【０１２９】
ステップＳ７５０において、ＤＶＣ２０１は図６の６１５に示すような選択画面を表示部１５に表示する。選択画面にはＤＶＣ２０１からデータの受信要求を受けた旨を表示するとともに、ＤＶＣ２０１からのデータを受信するか否かをユーザに選択させるためのアイコン（ＹＥＳ／ＮＯ）を表示する。
【０１３０】
ステップＳ７５１において、ＤＶＣ２０１はユーザが受信を許可する選択をしたか否かを判断する。受信許可が選択された場合、処理をステップＳ７３９に進める。受信許可が選択されなかった場合、つまり受信拒否が選択された場合、処理を終了する。
【０１３１】
ステップＳ７３９において、ＤＶＣ２０２に受信可能通知を送信する。この準備完了通知をＤＶＣ２０２が受信すると、ＤＶＣ２０２からデータが送信される。
【０１３２】
ステップＳ７４０において、ＤＶＣ２０２はＤＶＣ２０１から送信されたデータの受信を行う。
【０１３３】
ステップＳ７４１において、ＤＶＣ２０１はＤＶＣ２０２から送信完了通知を受信し、すべてのデータを受信したか否かを判断する。受信したと判断した場合は処理をステップＳ７４２に進める。受信していないと判断した場合は処理を繰り返す。
【０１３４】
ステップＳ７４２において、ＤＶＣ２０１はＤＶＣ２０２に受信完了通知を送信する。
【０１３５】
ＤＶＣ２０２に受信完了通知を行った後、ステップＳ７４３において、ＤＶＣ２０１は表示部１５に通信終了表示を行う。以上が、ＤＶＣ２０２からデータを受信する場合の処理である。
【０１３６】
次に、ＤＶＣ２０１からＤＶＣ２０２にデータを送信する場合について説明する。
【０１３７】
まず、ステップＳ７４４において、ＤＶＣ２０１はＤＶＣ２０２に送信可能通知を送信する。
【０１３８】
そして、ステップＳ７４５において、ＤＶＣ２０１は、ＤＶＣ２０２がデータを受信可能な状態か判断する。具体的には、ＤＶＣ２０２から送信される受信可能通知を受信したか判断する。受信可能と判断した場合には処理をステップＳ７４６に進める。受信可能ではないと判断した場合は処理を繰り返す。
【０１３９】
ステップＳ７４６において、ＤＶＣ２０１はＤＶＣ２０２にデータを送信する。
【０１４０】
全てのデータ送信が終了した後、ＤＶＣ２０１はＳ７４７においてＤＶＣ２０２に送信完了通知を送信する。
【０１４１】
ステップＳ７４８において、ＤＶＣ２０１は、ＤＶＣ２０２から受信完了通知を受信したか判断する。ＤＶＣ２０２の受信完了通知を受信した後、次のステップＳ７４９において通信終了表示を行う。
【０１４２】
以上の処理により、データを送信するのか、受信するのかという切替や、送受信の対象とするデータの設定に際して複雑な操作を必要とせず、負荷の軽減を実現することが可能となる。
【０１４３】
また、送信／受信を行う際に、ユーザに許可／不許可を選択させる表示を行い、許可された場合のみ送信／受信処理を実行する仕組みにすることにより、ユーザが意図せずに通信が行われてしまうことが防ぐことが出来る。なお、この表示は必ずしも必要ではなく、特にユーザの選択を介在させず、近接させることで自動的にデータの送受信を行ってもよい。
【０１４４】
なお、本実施形態では、通信相手に操作状態を送信することにより、実行する通信処理を決定することとしたが、必ずしも操作状態を送信しなくともよい。ＤＶＣは、操作されている操作部材に基づき、実行すべき通信処理の内容を通信相手に通知してもよい。この場合、通信相手は自機で操作されている操作部材と、通知された通信処理の内容に基づき、実行すべき通信処理を決定することになる。
【０１４５】
＜第２の実施形態＞
第１の実施形態では、一方のＤＶＣの操作部材が操作された状態で、近接無線通信モードにある他のＤＶＣに近接させることにより、通信処理を決定する方法について説明した。本実施形態では、両方のＤＶＣの操作部材が操作された状態で近接無線通信が行われることにより、通信処理が決定される手法について説明する。
【０１４６】
なお、本実施形態は第１の実施形態と共通する部分が多い。したがって、第１の実施形態と共通する部分については説明を省略し、本実施形態に特有の部分を中心に説明する。
【０１４７】
図１０は実施形態のＤＶＣ２０１とＤＶＣ２０２におけるデータの一方向通信（送信／受信）時の機器間通信の内容を示した図である。
【０１４８】
以下、ＤＶＣ２０１とＤＶＣ２０２が近接無線通信モードの状態において、上記の各操作部材が操作された場合について説明する。
【０１４９】
＜全ての静止画データを送信したい場合＞
ユーザがＤＶＣ２０２に記憶されたすべての静止画をＤＶＣ２０１に送信したい場合について説明する。
【０１５０】
この場合、ステップＳ１００２において、ＤＶＣ２０１のユーザはＤＶＣ２０１のＰｈｏｔｏボタンを押下する。ユーザによりＰｈｏｔｏボタンが押下されたことに応じて、ＤＶＣ２０１は、静止画全データ受信を行う旨を示す画面（１０１２）を表示部１５に表示する。
【０１５１】
次に、ＤＶＣ２０２の操作について説明する。ステップＳ１００７において、ＤＶＣ２０２のユーザは、ＤＶＣ２０２のＤｉｒｅｃｔ  Ｐｒｉｎｔボタンを押下する。ユーザによりＰｈｏｔｏボタンが押下されたことに応じて、ＤＶＣ２０２は、静止画全データ送信に対応したボタンであることを示す画面（１０１７）を表示部１５に表示する。
【０１５２】
ＤＶＣ２０１、ＤＶＣ２０２でそれぞれ上記の操作を行なっている状態（Ｐｈｏｔｏボタン、Ｄｉｒｅｃｔ  Ｐｒｉｎｔボタンを押下したまま）で両者を近接させ、近距離無線通信を確立させると、ＤＶＣ２０２からＤＶＣ２０１へ静止画全データの送信が実行される。
【０１５３】
ここで、ＤＶＣ２０２に静止画が１枚も記録されていない場合は送信処理を行わないものとする。その際に、ＤＶＣ２０２は、ユーザに静止画が記録されていないことを示す警告表示を行ってもよい。
【０１５４】
＜全ての動画データを送信したい場合＞
ユーザがＤＶＣ２０２に記憶されたすべての動画をＤＶＣ２０１に送信したい場合について説明する。
【０１５５】
この場合、ステップＳ１００３において、ＤＶＣ２０１のユーザはＤＶＣ２０１のＲｅｃボタンを押下する。ユーザによりＲｅｃボタンが押下されたことに応じて、ＤＶＣ２０１は、動画全データ受信に対応したボタンであることを示す画面（１０１３）を表示部１５に表示する。
【０１５６】
次に、ＤＶＣ２０２の操作について説明する。ステップＳ１００８において、ＤＶＣ２０２のユーザは、ＤＶＣ２０２のＰｌａｙボタンを押下する。ユーザによりＰｌａｙボタンが押下されたことに応じて、ＤＶＣ２０２は、動画全データ送信に対応したボタンであることを示す画面（１０１８）を表示部１５に表示する。
【０１５７】
ＤＶＣ２０１、ＤＶＣ２０２でそれぞれ上記の操作を行なっている状態（Ｒｅｃボタン、Ｐｌａｙボタンを押下したまま）で両者を近接させ、近距離無線通信を確立させると、ＤＶＣ２０２からＤＶＣ２０１へ動画全データの送信が実行される。
【０１５８】
ここで、ＤＶＣ２０２に動画が１枚も記録されていない場合は送信処理を行わないものとする。その際に、ＤＶＣ２０２は、ユーザに動画が記録されていないことを示す警告表示を行ってもよい。
【０１５９】
ＤＶＣ２０１、ＤＶＣ２０２でそれぞれ上記の操作を行なっている状態で近距離無線通信を確立させると、ＤＶＣ２０２からＤＶＣ２０１へ動画全データの送信が実行される。ここで、動画が１チャプターも記録されていない場合は送信処理を行わないものとする。その際に、ユーザに動画が記録されていないことを示す警告表示を行っても良い。
【０１６０】
＜選択済みの静止画データを送信したい場合＞
ユーザがＤＶＣ２０２に記憶された静止画のうち、選択された静止画をＤＶＣ２０１に送信したい場合について説明する。
【０１６１】
まず、送信対象となる画像の選択方法について説明する。ＤＶＣ２０２のユーザは、ＤＶＣ２０１との通信前に予め送信対象となる画像を選択しておくことが可能である。例えば、ＤＶＣ２０２は表示部１５に画像を一覧表示し、ユーザに所望の画像を選択させる。選択が完了すると、ＤＶＣ２０２は選択された画像のファイル名といった識別情報をリスト化してＲＯＭ１７に記憶する。このようにすることで、送信対象の画像を事前に選択しておくことが可能となる。
【０１６２】
図３の説明に戻る。ステップＳ１００４において、ＤＶＣ２０１のユーザはＺｏｏｍキーをＴｅｌｅ方向に操作する。ユーザによりＺｏｏｍキーがＴｅｌｅ方向に操作されたことに応じて、ＤＶＣ２０１は、静止画選択データ受信を行う旨を示す画面（１０１４）を表示部１５に表示する。
【０１６３】
次に、ＤＶＣ２０２の操作について説明する。ステップＳ１００９において、ＤＶＣ２０２のユーザは、ＤＶＣ２０２のＲｅｗ（巻き戻し）ボタンを押下する。ユーザによりＲｅｗ（巻き戻し）ボタンが押下されたことに応じて、ＤＶＣ２０２は、静止画選択データ送信を行う旨を示す画面（１０１９）を表示部１５に表示する。
【０１６４】
ＤＶＣ２０１、ＤＶＣ２０２でそれぞれ上記の操作を行なっている状態で近距離無線通信を確立させると、ＤＶＣ２０２からＤＶＣ２０１へ静止画選択データの送信が実行される。具体的には、ＤＶＣ２０２は保持していた送信対象のリストを参照し、リストに基づき記憶媒体１６から画像を読み出してＤＶＣ２０１に送信する。
【０１６５】
なお、静止画が１枚も選択されていない場合は送信処理を行わないものとする。その際に、ユーザに静止画が選択されていないことを示す警告表示を行っても良い。
【０１６６】
＜選択済みの動画データを送信したい場合＞
ユーザがＤＶＣ２０２に記憶された動画のうち、選択された動画をＤＶＣ２０１に送信したい場合について説明する。送信対象となる画像の選択方法は静止画の場合と同様である。
【０１６７】
ステップＳ１００５において、ＤＶＣ２０１のユーザはＺｏｏｍキーをＷｉｄｅ方向に操作する。ユーザによりＺｏｏｍキーがＷｉｄｅ方向に操作されたことに応じて、ＤＶＣ２０１は、動画選択データ受信を行う旨を示す画面（１０１５）を表示部１５に表示する。
【０１６８】
次に、ＤＶＣ２０２の操作について説明する。ステップＳ１０１０において、ＤＶＣ２０２のユーザは、ＤＶＣ２０２のＦＦ（早送り）ボタンを押下する。ユーザによりＦＦ（早送り）ボタンが押下されたことに応じて、ＤＶＣ２０２は、動画選択データ送信を行う旨を示す画面（１０２０）を表示部１５に表示する。
【０１６９】
ＤＶＣ２０１、ＤＶＣ２０２でそれぞれ上記の操作を行なっている状態で近距離無線通信を確立させると、ＤＶＣ２０２からＤＶＣ２０１へ動画選択データの送信が実行される。
【０１７０】
なお、本実施形態では、画面１０１２〜１０１５、１０１７〜１０２０は、操作部材を操作している間、例えばボタンを押下している間にのみ表示され、ユーザが操作部材から指を離すと画面１０１１または１０１６に戻る。このようにすることで、ユーザは操作部材を操作しながら近接させればよいことを容易に認識できる。
【０１７１】
本実施形態によれば、通信処理を確定するためにＤＶＣ２０１とＤＶＣ２０２の双方の操作を必要とするため、より確実にユーザの意図した処理が実行することができる。
【０１７２】
また、双方の機器同士で操作部材を操作しながら近接させるだけで意図した通信処理を実現させることができるため、近接させた後で送受信の許可・拒否などを決定するための操作を行う必要がなくなり、ユーザの利便性が向上する。
【０１７３】
＜他の実施形態＞
上記の各実施形態は本発明の一実施形態にすぎず、各実施形態を適宜組み合わせることも可能である。
【０１７４】
また、本実施形態ではＤＶＣを例として説明したが、デジタルスチルカメラや携帯電話、画像ビューアなどにも適用可能である。また、取り扱うデータも、携帯電話などに記憶された個人データ、電話帳データ、メールデータ、音楽データ、アプリケーションデータ等に適用可能である。ユーザが送受信の切替や送受信データの切替に際して複雑な操作を必要とせず、簡単なユーザ操作を実現することが可能となることは言うまでもない。
【０１７５】
また上述した実施形態に係るＤＶＣの機能をプログラム化し、予めＲＯＭのような記録媒体に書き込んでおき、ＤＶＣにこのＲＯＭを装着して実行することによって、本発明の目的が達成されることは言うまでもない。
【０１７６】
この場合、ＲＯＭから読み出されて実行された状態が上述した実施の形態に係る機能を実現することになり、そのプログラムおよびそのプログラムを記録したＲＯＭも本発明を構成することになる。
【０１７７】
なお、上述した実施の形態に係るＤＶＣの機能を実現するプログラムは、記録媒体に記憶された形で提供されてもよい。記憶媒体は例えば半導体媒体（ＲＯＭ、不揮発性メモリ等）、光媒体（ＤＶＤ、ＭＯ、ＭＤ、ＣＤ等）、磁気媒体（磁気テープ、フレキシブルディスク等）を用いることができる。あるいは、ネットワーク等の通信網を介して記憶装置に格納された、上述したプログラムをサーバコンピュータから受信することで、プログラムの供給を受けるようにしてもよい。
【図面の簡単な説明】
【０１７８】
【図１】第１の実施形態に係るＤＶＣのブロック構成図である。
【図２】第１の実施形態に係る近接無線通信の概要を示す図である。
【図３】第１の実施形態に係るＤＶＣにおける状態遷移図である。
【図４】第１の実施形態に係るＤＶＣにおける状態遷移図である。
【図５】第１の実施形態に係るＤＶＣにおける操作ボタンと通信処理の対応を示す図である。
【図６】第１の実施形態に係るＤＶＣの処理を示すシーケンス図である。
【図７】第１の実施形態に係るＤＶＣの処理を示すフローチャートである。
【図８】第１の実施形態に係るＤＶＣの処理を示すフローチャートである。
【図９】第１の実施形態に係るＤＶＣの処理を示すフローチャートである。
【図１０】第２の実施形態に係るＤＶＣにおける状態遷移図である。
【図１】
2010004477.tif 000003
【図２】
2010004477.tif 000004
【図３】
2010004477.tif 000005
【図４】
2010004477.tif 000006
【図５】
2010004477.tif 000007
【図６】
2010004477.tif 000008
【図７】
2010004477.tif 000009
【図８】
2010004477.tif 000010
【図９】
2010004477.tif 000011
【図１０】
2010004477.tif 000012